(57)【要約】【課題】店頭におけるコピーサービスを発展させ、情報入出力機としての機能を持たすことにより他社のコピーサービスとの差別化を図る。【解決手段】ネットワークを介して別途用意したＰＣを通じて、情報をデータベース上に吸い上げ、情報を店頭カラーコピーで出力する。また店頭のカラーコピー機を用いていわゆるセンド機能をサービスする。またネットワーク上にデータベースを構築し、店頭にて画像提供サービスを実施する。【選択図】　　　　図１
2004013667.tif 000002
【特許請求の範囲】
【請求項１】
情報発信者が情報処理装置を用いて、ネットワークを介して第三者であるデータベース管理者にデータ送信を行い、データを一時的に前記データベースに保管すると同時に前記データベース管理者は情報を保管したことを認証するＩＤを発行し、
情報発信者が店頭に置かれた商用画像入出力装置を情報出力機として利用する際に発行されたＩＤを管理情報として利用することにより情報発信者が店舗にてデータベース上に発信した情報を紙面上に出力することを可能とした
ことを特徴とするネットワークを介した情報入出力サービス。
【請求項２】
情報管理用ＩＤに対して情報発信者側が暗証番号を用いることにより情報管理の安全性を高めたことを特徴とする請求項１記載のネットワークを介した情報入出力サービス。
【請求項３】
情報管理用ＩＤに対して情報発信者側が暗証番号をかけた情報に対して課金を実施することを特徴とする請求項２に記載のネットワークを介した情報入出力サービス。
【請求項４】
情報管理者が情報データベースを構築し、ネットワークを介してコンテンツを紹介、ユーザはコンテンツ内の所望の情報に対して情報入手の手段を取り、前記データベース管理者は情報を提供可能としたことを認証するＩＤをユーザへ発行し、
ユーザが店頭に置かれた商用画像入出力装置を情報出力機として利用する際に発行されたＩＤを管理情報として利用することによりユーザがデータベース上から要求した情報を入手し、情報を紙上に出力することを可能とした
ことを特徴とするネットワークを介した情報入出力サービス。
【請求項５】
情報管理用ＩＤに対してユーザ側が暗証番号をかけることにより情報管理の安全性を高めたことを特徴とする請求項４記載のネットワークを介した情報入出力サービス。
【請求項６】
情報管理用ＩＤに対して情報発信者側が暗証番号をかけた情報に対して課金を実施することを特徴とする請求項５に記載のネットワークを介した情報入出力サービス。
【請求項７】
情報発信者が店頭に置かれた商用画像入出力装置を情報入力機として用いて情報を取り込み、ネットワークを介して第三者であるデータベース管理者にデータ送信を行い、データを一時的に前記データベースに保管すると同時に、前記データベース管理者は情報を保管したことを認証するＩＤを発行し、
情報発信者がデータベースに保管した情報をネットワークを介して別途用意した情報処理装置を用いて入手する際には発行されたＩＤを管理情報として利用することにより、情報発信者がデータベース上に発信した情報を入手することを可能とした
ことを特徴とするネットワークを介した情報入出力サービス。
【請求項８】
情報管理用ＩＤに対して情報発信者側が暗証番号を用いることにより情報管理の安全性を高めたことを特徴とする請求項７に記載のネットワークを介した情報入出力サービス。
【請求項９】
情報管理用ＩＤに対して情報発信者側が暗証番号をかけた情報に対して課金を実施することを特徴とする請求項８に記載のネットワークを介した情報入出力サービス。
【発明の詳細な説明】
【０００１】
【発明の属する技術分野】
本発明は、ネットワークを介して主に店頭におかれた情報入出力装置を用いて画像、文字等の情報入出力サービスを実施するネットワークを介した情報入出力サービスに関することである。
【０００２】
【従来の技術】
従来より、店頭において有料白黒コピーサービスが実施され、多くの利用者に利用されている。
【０００３】
また、近年カラーコピー機の設置も進展し、特にいわゆるコンビニエンスストアーにはカラーコピー機の設置が一般化されるにいたっており、カラーコピー機を誰もが利用できる環境になってきている。
【０００４】
これらのコピー機械は画像情報を光学的スキャナー部で読み取り、読み取った画像情報をディジタル化し、そのディジタル情報に基づき、画像を形成し、紙上に出力する形態となっており、いわゆる画像という情報の入出力機械と言い換えることができる。
【０００５】
これらの情報の入出力機械としてのコピー機の利用は以下の様に使用される場合が多いのが現状である。
【０００６】
まずは利用者がコピーしたい原稿を店頭に持ち込み、枚数に応じた料金を支払い（後で払う場合もあり）、コピー機を用いて原稿をコピーし、コピー原稿を入手するのが一般的である。
【０００７】
これらの作業は言い換えれば、情報の入出力機械としてのコピー機を用いて、手元にあった、画像情報をディジタル化し、ディジタル情報を紙面に複製していることともいえる。
【０００８】
またこれとは別に、既に紙等に印刷された情報（例えば画像データ）を保管スペースの確保の為、検索至便性の向上のため、情報の電子化を実施する機会も多くある。
【０００９】
これらの紙面上の情報を電子化するためには、いわゆるスキャナー装置および情報処理装置をそれぞれ用意し（一体化された装置も市場には提供されている）、情報処理装置を用いてスキャナー装置を操作し、紙面上の情報をデジタイズして電子情報として取り込むのが一般的である。
【００１０】
またこれとは別に、商用インターネットの開放も進展し、多くの人々が情報処理装置を用いてネットワーク環境を容易に利用し、多くの情報の伝達、授受を実施することが可能なようになってきている。
【００１１】
【発明が解決しようとしている課題】
しかしながら、上記のような従来例では、店頭にユーザが原稿を持ち込み、店頭におけるコピー機を用いてコピー動作をするため以下のような課題がある。
・原稿の取り忘れによる原稿紛失トラブルの発生。
・原稿からのコピーになるため原画に対して画質の劣化が生じる事実は否めない。
・コピーしたい原稿を店頭に持ち込むことが困難な場合がある。
【００１２】
また、上記のような問題の他にも
・情報を既に情報処理機上に有しているが、その情報を紙面に出力したいが、外出等の現場で出力手段を持ち合わせていない。
・紙の原稿を保存のために電子情報化したいがその入力手段を持ち合わせていない。
・コピー機そのものが店舗の中で占有面積が大きいことに対して、コピー動作のみでは設置面積に対して価値の生産性が低いといわざるを得ない。
など、多くの課題がある。
【００１３】
本発明は、以上に点に着目して成されたもので、店頭におけるコピーサービスを発展させ、情報入出力機としての機能を持たすことにより他社のコピーサービスとの差別化を図るネットワークを介した情報入出力サービスを提供することを目的とする。
【００１４】
【課題を解決するための手段】
本発明は掛かる問題を解決するため、一般店頭に配備してあるカラーコピー機を情報入出力装置として利用し、利用者が持つ情報処理機を用いて、インターネットを介して情報の入出力を実施することにより、前記問題点の解決を図るものである。
【００１５】
その方法として、利用者が自宅もしくは会社等において入力した情報を、ネットワークを介して情報データベースへ送信し一時的に保管し、利用者がこの情報を店頭に置かれた商用情報入出力装置（カラーコピー機）を用いて情報出力機として利用する。
【００１６】
また、店頭におかれた商用情報入出力装置を用いて、電子化したい画像や文字が書き込まれた書類情報を読み込ませ電子情報化し、ネットワークを介して電子化情報をデータベースへ一時保管し、一時保管された電子情報を、別途自分の所有する情報処理機にダウンロードすることにより、電子情報化された書類情報を得ることができる。
【００１７】
また、データベース管理者がネットワーク上のデータベース上に各種のコンテンツを閲覧可能なようにセットアップし、これらのコンテンツの中の一つに対してダウンロード予約をした後、店頭に置かれた商用情報入出力装置を用いて所望の情報を出力することにより、所望の画像情報や各種データを入手することができる。
【００１８】
なお、さらに詳細に説明すれば、本発明は下記の構成によって前記課題を解決できた。
【００１９】
（１）情報発信者が情報処理装置を用いて、ネットワークを介して第三者であるデータベース管理者にデータ送信を行い、データを一時的に前記データベースに保管すると同時に前記データベース管理者は情報を保管したことを認証するＩＤを発行し、
情報発信者が店頭に置かれた商用画像入出力装置を情報出力機として利用する際に発行されたＩＤを管理情報として利用することにより情報発信者が店舗にてデータベース上に発信した情報を紙面上に出力することを可能とした
ことを特徴とするネットワークを介した情報入出力サービス。
【００２０】
（２）情報管理用ＩＤに対して情報発信者側が暗証番号を用いることにより情報管理の安全性を高めたことを特徴とする前記（１）記載のネットワークを介した情報入出力サービス。
【００２１】
（３）情報管理用ＩＤに対して情報発信者側が暗証番号をかけた情報に対して課金を実施することを特徴とする前記（２）に記載のネットワークを介した情報入出力サービス。
【００２２】
（４）情報管理者が情報データベースを構築し、ネットワークを介してコンテンツを紹介、ユーザはコンテンツ内の所望の情報に対して情報入手の手段を取り、前記データベース管理者は情報を提供可能としたことを認証するＩＤをユーザへ発行し、
ユーザが店頭に置かれた商用画像入出力装置を情報出力機として利用する際に発行されたＩＤを管理情報として利用することによりユーザがデータベース上から要求した情報を入手し、情報を紙上に出力することを可能とした
ことを特徴とするネットワークを介した情報入出力サービス。
【００２３】
（５）情報管理用ＩＤに対してユーザ側が暗証番号をかけることにより情報管理の安全性を高めたことを特徴とする前記（４）記載のネットワークを介した情報入出力サービス。
【００２４】
（６）情報管理用ＩＤに対して情報発信者側が暗証番号をかけた情報に対して課金を実施することを特徴とする前記（５）に記載のネットワークを介した情報入出力サービス。
【００２５】
（７）情報発信者が店頭に置かれた商用画像入出力装置を情報入力機として用いて情報を取り込み、ネットワークを介して第三者であるデータベース管理者にデータ送信を行い、データを一時的に前記データベースに保管すると同時に、前記データベース管理者は情報を保管したことを認証するＩＤを発行し、
情報発信者がデータベースに保管した情報をネットワークを介して別途用意した情報処理装置を用いて入手する際には発行されたＩＤを管理情報として利用することにより、情報発信者がデータベース上に発信した情報を入手することを可能とした
ことを特徴とするネットワークを介した情報入出力サービス。
【００２６】
（８）情報管理用ＩＤに対して情報発信者側が暗証番号を用いることにより情報管理の安全性を高めたことを特徴とする前記（７）に記載のネットワークを介した情報入出力サービス。
【００２７】
（９）情報管理用ＩＤに対して情報発信者側が暗証番号をかけた情報に対して課金を実施することを特徴とする前記（８）に記載のネットワークを介した情報入出力サービス。
【００２８】
【作用】
以下に作用を列挙する。
【００２９】
１．データを出力する手段として、市内いたるところに点在する店頭に配備された商用情報入出力装置を利用することにより、いつでもどこでも自分の所望のデータを紙情報として入手することが可能となる。
【００３０】
２．カラー画像出力装置は比較的高価であるが、個人的に高価な画像出力装置を持たなくてもデータ出力が可能となる。
【００３１】
３．カラー画像入力装置は比較的高価であるが、自分で高価なカラー画像入力装置を持たなくてもデータの電子化が可能となる。
【００３２】
４．データベース管理された情報コンテンツを利用して、例えばアーティスト等の写真や楽譜等のデータを選択し、自分で高価な画像出力装置を持たなくても、それらの画像データの出力が可能となる。
【００３３】
５．上記のような情報入出力サービスを提供することにより、画像入出力装置設置店舗の集客率が高まり店舗収益の増大が図られる。
【００３４】
６．通常の画像出力装置を提供するに留まらず、上記のような付加価値サービスを可能とすることにより他社との装置供給差別化を図り画像出力設置台数を増大させることが可能となる。
【００３５】
【発明の実施の形態】
【００３６】
【実施例一】
実施例一を図１〜図５に示す。
【００３７】
これらは、既に情報処理装置等内にある、画像や文書データをネットワークを介して第３者の情報管理者にありデータベースに登録し、その登録データを今度はネットワークを介して店頭に設置されている商用画像出力機より所望の情報を出力していく形態を示している。
【００３８】
図１は情報処理装置内にある画像や文字データをいわゆるインターネットを介してデータベースに登録している様子を示している。
【００３９】
図１において、１は情報処理装置を示し、２はいわゆるネットワークを模式的に示した概念図である。３はネットワーク上に接続されたデータベースを示している。
【００４０】
例えば文字情報を持った情報が文字情報４で代表的に示され、画像情報を持った情報が画像情報５で代表的に示されている。当然、情報としては文字、画像情報が混在している情報も存在しているが例示はしていない。
【００４１】
図２はデータベース管理者によって登録された情報に対して管理番号であるＩＤ番号６を発行されている様子を示している。
【００４２】
図３は更にデータベース管理者に対して、発行されたＩＤに対してパスワード７を設定することによりデータベース上の情報に対してセキュリティーが確保される様子を示す。
【００４３】
ＩＤに対して更にパスワードが加えられることにより情報発信者によって入力された情報に対してロックがかかり、第三者によって閲覧、編集加工が不能となる。
【００４４】
図４は既に登録となった情報を店頭におかれた、商用情報入出力装置８を用いて引き出す様子を示している。このとき、商用情報入出力装置８にはＩＤ番号とパスワードを入力することによって必要な情報を引き出すことが可能となる。
【００４５】
図５はデータベース上に置かれた情報がインターネットを経由して、店頭に置かれた商用情報入出力装置に出力されている様子を示す。
【００４６】
この時データベース上に情報を残す、残さないはユーザが選択できるようになっていても構わなく、データベース上の情報として今後の活用する予定があるのならば、残しておくことも可能である。データベースのメモリー領域をどの位、どれだけの時間占有することが可能であり、それに対する課金をどうするかは、データベースの管理者との間で決定付ければ良い。
【００４７】
実際には情報を出力したこの段階においては必ず課金対象となり、利用者は料金支払いの義務が発生する。
【００４８】
このように、データをセキュリティー管理された上で公開のネットワーク上のデータベースに置き、それを店頭に配備された商用情報入出力装置によって適宜出力することにより、各種情報の紙媒体への従前の出力を省略し、移動時等の荷物負担にならないような情報とすることができる。
【００４９】
また、第三者へ提示する場合等、情報処理装置上の表示データとしての表示だけではなく、市内の店舗での出力を可能にすることから、それらのデータを適宜紙上の情報として出力、提供することも可能となる。
【００５０】
【実施例二】
以下、本発明の第二実施例について説明する。
【００５１】
第二の実施例を図６〜１０に示す。
【００５２】
図６において用意された画像を店頭におかれた画像入（出）力機にて画像および文字データを読み込み入力し、インターネットを介してデータベースに情報が入力された状態を示す。
【００５３】
図７においてデータベースに登録された情報に対してＩＤ情報が発行された様子を示す。
【００５４】
ＩＤ情報は情報入出力装置の表示部で確認することも可能であるし、その情報を出力することも可能である。
【００５５】
図８においてこれら発行されたＩＤ情報に関してパスワードを付加して入力した情報をデータベース上でロックをすることにより情報の安全性が確保される様子を示す。
【００５６】
この動作の後に図９に示すように別に用意された情報処理機によってインターネットを用いてデータベースにアクセスし、既に発行された情報ＩＤと管理のためのパスワードを用いて情報の開示をデータベースに要求する。
【００５７】
すると、図１０に示したように、データベースから所望のデータを手持ちの情報処理機にダウンロードすることができる。
【００５８】
この時データベース上に情報を残す、残さないはユーザが選択できるようになっていても構わなく、データベース上の情報として今後の活用する予定があるのならば、残しておくことも可能である。データベースのメモリー領域をどの位、どれだけの時間占有することが可能であり、それに対する課金をどうするかは、データベースの管理者との間で決定付ければ良い。
【００５９】
【実施例三】
以下、本発明の第三実施例について説明する。
【００６０】
第三の実施例を図１１〜１６に示す。
【００６１】
図１１に示すように、データベース上に用意されている、例えば種々の画像データベース９にネットワークを情報処理装置からアクセスをする。
【００６２】
そこで図１２に示すように、データベース上の所望の画像データ１０（図中囲みあり）を選択する。
【００６３】
そこで、図１３に示すようにデータベースより選択された情報に対して、情報ＩＤが発行され、図１４に示すように発行された情報ＩＤに対してパスワードを発行することにより画像情報に占有権を持たせる。
【００６４】
この占有権を付した画像情報に対して図１５に示すように、店頭における画像出力機を用いて情報ＩＤ、パスワードを与えることにより所望の画像データを入手することが可能となる。
【００６５】
そこで図１６に示すように店頭に配備され情報入出力装置を用いて、ＩＤ情報とパスワードによって管理された所望の画像情報を出力することにより、所望データを入手することができる。ここに示した画像データベースは各種風景をデータベース化したもので示しているが、この対象はどのようなものであっても構わなく、肖像権等を所有するアーティスト系の画像情報や著作権を有する楽曲等のデータベースであっても構わない。
【００６６】
【発明の効果】
本発明は、店頭におけるコピーサービスを発展させ、情報入出力機としての機能を持たすことにより他社のコピーサービスとの差別化を図ることができる。
【図面の簡単な説明】
【図１】本発明の第一の実施例であるネットワークを利用した情報入力から出力までの一連の動作説明の一つである情報処理装置にて情報入力する説明図
【図２】本発明の第一の実施例であるネットワークを利用した情報入力から出力までの一連の動作説明の一つであるデータベース情報ＩＤ登録する説明図
【図３】本発明の第一の実施例であるネットワークを利用した情報入力から出力までの一連の動作説明の一つである情報ＩＤ＋パスワードロックの説明図
【図４】本発明の第一の実施例であるネットワークを利用した情報入力から出力までの一連の動作説明の一つである店頭画像出力装置＋情報パスワード解除できる説明図
【図５】本発明の第一の実施例であるネットワークを利用した情報入力から出力までの一連の動作説明の一つである店頭情報出力する説明図
【図６】本発明の第二の実施例であるネットワークを利用した情報入力から出力までの一連の動作説明の一つである店頭情報入力する説明図
【図７】本発明の第二の実施例であるネットワークを利用した情報入力から出力までの一連の動作説明の一つである情報ＩＤ出力する説明図
【図８】本発明の第二の実施例であるネットワークを利用した情報入力から出力までの一連の動作説明の一つである情報ＩＤ＋ＰＡＳＳ　ＷＯＲＤ入力する説明図
【図９】本発明の第二の実施例であるネットワークを利用した情報入力から出力までの一連の動作説明の一つである情報ＩＤ＋ＰＡＳＳＷＯＲＤ入力する説明図
【図１０】本発明の第二の実施例であるネットワークを利用した情報入力から出力までの一連の動作説明の一つである情報処理装置，情報ダウンロードする説明図
【図１１】本発明の第三の実施例であるネットワークを利用した情報入力から出力までの一連の動作説明の一つである情報処理装置，コンテンツ検索する説明図
【図１２】本発明の第三の実施例であるネットワークを利用した情報入力から出力までの一連の動作説明の一つである情報処理装置，コンテンツ選択する説明図
【図１３】本発明の第三の実施例であるネットワークを利用した情報入力から出力までの一連の動作説明の一つであるデータベース，コンテンツＩＤ発行する説明図
【図１４】本発明の第三の実施例であるネットワークを利用した情報入力から出力までの一連の動作説明の一つである情報処理装置，コンテンツＩＤ＋ＰＡＳＳＷＯＲＤの説明図
【図１５】本発明の第三の実施例であるネットワークを利用した情報入力から出力までの一連の動作説明の一つである店頭画像出力機，コンテンツＩＤ＋ＰＡＳＳＷＯＲＤの説明図
【図１６】本発明の第三の実施例であるネットワークを利用した情報入力から出力までの一連の動作説明の一つである店頭画像出力機の説明図
【符号の説明】
１　　情報処理装置
２　　ネットワーク
３　　データベース
４　　文字情報（例）
５　　画像情報（例）
６　　情報ＩＤ
７　　パスワード
８　　情報入出力装置
９　　画像データベース
１０　画像データベース上の選択された画像
【図１】
2004013667.tif 000003
【図２】
2004013667.tif 000004
【図３】
2004013667.tif 000005
【図４】
2004013667.tif 000006
【図５】
2004013667.tif 000007
【図６】
2004013667.tif 000008
【図７】
2004013667.tif 000009
【図８】
2004013667.tif 000010
【図９】
2004013667.tif 000011
【図１０】
2004013667.tif 000012
【図１１】
2004013667.tif 000013
【図１２】
2004013667.tif 000014
【図１３】
2004013667.tif 000015
【図１４】
2004013667.tif 000016
【図１５】
2004013667.tif 000017
【図１６】
2004013667.tif 000018